(57)【特許請求の範囲】
【請求項１】
機器の下面部に設けられた脚取付け面に弾性脚の固着面を両面テープで接着するとともに、前記固着面が前記脚取付け面から剥離するのを防止する弾性脚剥がれ防止構造であって、
前記固着面に、開口から円錐形に先細りしたテーパーを有する凹部が設けられ、
前記凹部に対応したテーパーをなし、前記凹部に嵌められた凸部が前記脚取付け面に設けられ、
前記両面テープは、前記固着面に接着され、前記開口を覆う部分に形成された切り込み部が前記凸部によって押し広げられ、前記切り込み部の周辺部分が前記開口の縁で折り曲げられて前記凸部と前記凹部との間に挟まれる
ことを特徴とする弾性脚剥がれ防止構造。
【請求項２】
前記両面テープには、前記開口を覆う部分に予め切込みが形成していることを特徴とする請求項１に記載の弾性脚剥がれ防止構造。
【請求項３】
前記固着面に直交する方向から見た前記切込みは十字形をなしていることを特徴とする請求項２に記載の弾性脚剥がれ防止構造。
【請求項４】
前記凹部の円錐形の軸は前記固着面に垂直であることを特徴とする請求項１乃至３の内の何れか一つに記載の弾性脚剥がれ防止構造。
【請求項５】
前記弾性脚がゴムでなることを特徴とする請求項１乃至４の内の何れか一つに記載の弾性脚剥がれ防止構造。
【請求項６】
機器の下面部に設けられた脚取付け面に弾性脚の固着面を両面テープで接着する弾性脚接着方法であって、
前記固着面に開口を有し、前記開口から円錐形に先細りしたテーパーをなす凹部を前記弾性脚に設け、
前記凹部に対応したテーパーをなし、前記凹部に嵌る凸部を前記脚取付け面に設け、
前記開口を覆う部分に切り込みが設けられた前記両面テープを前記固着面に接着し、
前記凸部の先端で前記開口を覆う部分の前記両面テープを前記開口の縁から前記凹部内に折り曲げて押し込み、前記開口を覆う部分の前記両面テープを前記凸部の外周面と前記凹部の内周面との間に挟みこむことにより、前記外周面と前記内周面とを接着する、
ことを特徴とする弾性脚接着方法。
【請求項７】
前記固着面に直交する方向から見た前記切込みは十字形をなしていることを特徴とする請求項６に記載の弾性脚接着方法。
【請求項８】
前記凹部の円錐形の軸は前記固着面に垂直であることを特徴とする請求項６又は７の何れか一つに記載の弾性脚接着方法。
【発明の詳細な説明】
【技術分野】
【０００１】
本発明は、卓上型の電話機、パーソナルコンピュータ等の机上に載置される機器の下面部に接着され、機器を机上に置く際に、機器が机上に安定に載置されるようにするゴム製等の弾性脚に関し、特にその弾性脚が機器の下面部から剥がれるのを防止する構造に関する。
【背景技術】
【０００２】
卓上型の電話機では、この種の弾性脚が下面部の四隅にそれぞれ１つづつ、合計４個設けられることが多い。表面の液晶ディスプレイの傾き角度を調整する傾き角度調整脚を下面部に備える電話機では、合計４個の弾性脚のうちの２個は傾き角度調整脚の下端に、他の２個は電話機本体の下面部に、夫々設けられる。
【０００３】
特許文献１（実開平６−６９４６６）の段落０００５及び０００６には、図５及び６を夫々参照して、従来のゴム製弾性脚（特許文献１では、「ゴム足」と称さている。）の構造が開示してある。これらの弾性脚は、平らな固着面を有し、機器の下面部における平らな脚取付け面にその平らな固着面を両面テープで接着されて、機器に固着されている。
【先行技術文献】
【特許文献】
【０００４】
【特許文献１】実開平６−６９４６６（段落０００５，０００６及び図５，６）
【発明の概要】
【発明が解決しようとする課題】
【０００５】
特許文献１に記載されているように、ゴム製等の弾性脚を機器の下面部における平らな脚取付け面に弾性脚の平らな固着面を両面テープで接着だけの構造では、弾性脚が剥がれたり、横にずれたりし易い。
【０００６】
特に、傾き角度調整脚を有する前述の卓上型電話機では、電話機の下面部における平らな脚取付け面と弾性脚の平らな固着面との境界平面に対する電話機の重量方向が直角ではないので、電話機の下面部における平らな脚取付け面と弾性脚の平らな固着面との境界に平行は方向に電話機の重量の分力が加わる。電話機と弾性脚との接着面に平行な方向に力が加わると、弾性脚は電話機に対し横ずれを起こしたり、剥がれたりし易い。
【０００７】
このような横ずれや剥離を防止するには、機器と弾性脚との接着面積を大きくしたり、粘着強度の高い両面テープを使用したりする必要がある。しかしながら、機器と弾性脚との接着面積を大きくすると、機器設計の制約となったり、機器の外観を損ねたりし易く、さらには機器単価の増大を招く。また、粘着強度の高い両面テープを使用すると、機器の製造単価が高くなる。
【０００８】
（本発明の目的）
そこで、本発明は、機器の下面部に接着された弾性脚が剥がれるのを防止する弾性脚剥がれ防止構造および方法の提供を目的とする。
【課題を解決するための手段】
【０００９】
前述の課題を解決するため、本発明による弾性脚剥がれ防止構造および弾性脚剥がれ防止方法は、主に、次のような特徴的な構成を採用している。
【００１０】
（１）本発明による弾性脚剥がれ防止構造は、機器の下面部に設けられた脚取付け面に弾性脚の固着面を両面テープで接着するとともに、該固着面が該脚取付け面から剥離するのを防止する弾性脚剥がれ防止構造であって、
前記固着面に開口を有する凹部が前記弾性脚に設けてあり、
前記凹部に嵌合する凸部が前記脚取付け面に設けてあり、
前記開口の縁から前記凹部の内周面に沿って折り曲げられた前記両面テープが、前記凸部の外周面と該内周面とを接着している
ことを特徴とする。
（２）本発明による弾性脚剥がれ防止方法は、機器の下面部に設けられた脚取付け面に弾性脚の固着面を両面テープで接着するとともに、該固着面が該脚取付け面から剥離するのを防止する弾性脚剥がれ防止方法であって、
前記固着面に開口を有する凹部を前記弾性脚に、該凹部に嵌る形の凸部を前記脚取付け面に設け、夫々予め設けておき、
前記両面テープを前記固着面に接着し、前記開口を覆う部分の該両面テープに切込みを設け、
前記凸部の先端を前記切込みに当接し、該凸部により、前記開口を覆う部分の前記両面テープを該開口の縁から前記凹部内に折り曲げて押し込み、該開口を覆う部分の該両面テープを該凸部の外周面と該凹部の内周面との間に挟みこむことにより、該外周面と該内周面とを接着する
ことを特徴とする。
【発明の効果】
【００１１】
本発明の弾性脚剥がれ防止構造および方法によれば、機器の下面部に接着された弾性脚が剥がれるのを防止する弾性脚剥がれ防止構造および方法を提供することができる。
【図面の簡単な説明】
【００１２】
【図１】本発明の一実施の形態である弾性脚剥がれ防止構造および方法を示す図である。
【図２】図１の弾性脚剥がれ防止構造の概要を示す図である。
【図３】図１の弾性脚剥がれ防止構造における両面テープを示す平面図である。
【図４】図１（Ｄ）の拡大図である。
【発明を実施するための形態】
【００１３】
以下、本発明による弾性脚剥がれ防止構造および方法の好適な実施形態について添付図を参照して説明する。
【００１４】
（本発明の特徴）
本発明の実施形態の説明に先立って、本発明の特徴についてその概要をまず説明する。本発明による弾性脚剥がれ防止構造は、機器の下面部に設けられた脚取付け面に弾性脚の固着面を両面テープで接着するとともに、その固着面がその脚取付け面から剥離するのを防止する構造であって、その固着面に開口を有する凹部を弾性脚に設け、その凹部に嵌合する凸部を脚取付け面に設け、その開口の縁から凹部の内周面に沿って折り曲げられた両面テープが、凸部の外周面と該内周面とを接着している。この構造では、弾性脚の凹部が弾性脚の凸部に嵌合するので、横ずれが生ずる虞がなく、弾性脚の開口の縁から凹部の内周面に沿って折り曲げられた両面テープが、凸部の外周面と凹部の内周面とを接着しているので、機器の下面部に接着された弾性脚が剥がれるのを防止できる。
【００１５】
前述のとおり、図１は本発明の一実施の形態である弾性脚剥がれ防止構造および方法を示す図、図２は図１の弾性脚剥がれ防止構造の概要を示す図、図３は図１の弾性脚剥がれ防止構造における両面テープを示す平面図、図４は図１（Ｄ）の拡大図である。
【００１６】
図において、１はゴム脚（前述の弾性脚に相当。）、１ａはゴム脚１に設けられたテーパー穴（前述の凹部に相当。）、２は両面テープ、２ｘ，２ｙは両面テープ２に設けられた切込み、３はテーパー突起（前述の凸部に相当。）、４はゴム脚固着底面（前述の脚取付け面に相当。）、５，６，７，８はゴム脚取付け部、５ａはゴム脚取付け部５内の円筒形凹部の内側壁、１００電話機、１００ａは電話機１００の筐体、１０１は電話機１００の傾き角度調整脚をそれぞれ示す。
【００１７】
図２（Ａ）は電話機１００の斜視図、同図（Ｂ）は裏面が現れるように描いた電話機１００の斜視図である。この電話機１００は傾き角度調整脚１０１を備える。電話機１００の筐体１００ａにおける底面側の２つの隅にはゴム脚取付け部５及び６が設けてあり、傾き角度調整脚１０１の下端における左右両端にはゴム脚取付け部７及び８が設けてある。ゴム脚取付け部５乃至８は、何れも同じ構造である。
【００１８】
図２（Ｃ）は、同図（Ｂ）における円２００内の部分を拡大して示す図であり、電話機１００におけるゴム脚取付け部５の詳細が表されている。ゴム脚取付け部５は、円筒形をなしており、円筒内部の底がゴム脚固定底面４をなしている。ゴム脚固定底面４の中央には、テーパー突起３が設けてある。テーパー突起３は、ゴム脚固定底面４から円錐形に先細りしたテーパーをなしている。テーパー突起３の軸はゴム脚固定底面４に垂直である。
【００１９】
図２（Ｄ）は、両面テープ２が接着されたゴム脚１の斜視図である。ゴム脚１の形は、円柱形の側壁と、この円柱形の軸に直交する平面であり、この円柱形の一方の端面をなし、両面テープ２が接着される面（前述の固着面）と、その円柱形の他方の端面をなす丸みを持った端面と、円柱形と同軸に設けられたテーパー穴１ａとで規定される。両面テープ２には、図３の拡大図（平面図）で示すように、中央部に切込み２ｘ，２ｙが入れられている。両面テープ２は、ゴム脚取付け部５におけるゴム脚固定底面４およびゴム脚１における固着面に接着され、ゴム脚固定底面４とその固着面とを接着することにより、ゴム脚１を電話機１００に取り付けている。切込み２ｘ及び２ｙでは、両面テープ２は表面から裏面まで切れている。切込み２ｘ及び２ｙの方向は互いに直交していて、切込み２ｘ及び２ｙでもって十字形の切込みをなしている。
【００２０】
図１（Ａ）は図２（Ｂ）をやや拡大した電話機１００の斜視図である。図１（Ｂ）から（Ｅ）は、本実施の形態の組み立て工程を示すとともに、各部材の構造を示している。図１（Ｃ）から（Ｅ）では、ゴム脚１はテーパー穴１ａの軸を通る平面で切断して示してある。図１（Ｃ）から（Ｅ）においてゴム脚１に付されたハッチングはその平面で切断された断面を示している。
【００２１】
図１（Ｃ）によく現れているように、テーパー穴１ａは、ゴム脚１の固着面（両面テープ２が接着される面）に開口を有する。テーパー穴１ａは、その開口から円錐形に先細りしたテーパーをなしている。テーパー穴１ａの軸は固着面に垂直である。テーパー穴１ａの形はテーパー突起３の形に対応している。即ち、テーパー穴１ａにおける軸と先細りの側壁とのなす角度をテーパー角θとすると、テーパー角θは、テーパー突起３における軸と先細りの側壁とのなす角度ψ（テーパー突起３のテーパー角）に等しく、θ＝ψである。テーパー穴１ａの深さ（軸方向の長さ）は、テーパー突起３の軸方向長さより若干大きくしてある。
【００２２】
ゴム脚１を電話機１００のゴム脚取付け部５に取り付ける工程では、ゴム脚１の固着面に両面テープ２を接着する。そして、ゴム脚１におけるテーパー穴１ａの軸の延長線が通る両面テープ２上の点で交差する切込み２ｘ及び２ｙを両面テープ２に入れ、十字形の切込みを両面テープ２に形成する。次に、このようにその十字形切込み付きの両面テープ２が固着面に接着されたゴム脚１を、図１（Ｂ）に示すように、テーパー穴１ａの軸がテーパー突起３の軸に概ね一致する向きの姿勢で保持し（図１（Ｂ）及び（Ｃ））、ゴム脚１をゴム脚取付け部５に近接させ、テーパー穴１ａにテーパー突起３を挿入し（図１（Ｄ））、テーパー穴１ａとテーパー突起３とを嵌合させる（図１Ｅ）。
【００２３】
図１（Ｃ）の状態から同図（Ｄ）の状態に移行する工程、即ちゴム脚１をゴム脚取付け部５に近接させる工程では、両面テープ２の十字形切込みにおける切込み２ｘと２ｙとの交点がテーパー突起３の先端に接触し、更にテーパー突起３がテーパー穴１ａに次第に深く挿入されるに従い、テーパー穴１ａの開口を覆う部分の両面テープ２は、その開口の縁で折り曲げられ、その開口からテーパー穴１ａ内に押し込まれ、テーパー突起３の外周面とテーパー穴１ａの内周面との間に挟まれ、テーパー突起３の外周面とテーパー穴１ａの内周面とを接着する。図４における符号２ａ及び２ｂは、テーパー穴１ａの開口の縁で折り曲げられ、その開口からテーパー穴１ａ内に押し込まれ、テーパー突起３の外周面とテーパー穴１ａの内周面との間に挟まれに至る過程における、テーパー穴１ａの開口を覆う部分の両面テープ２を示す。
【００２４】
前述のとおり、テーパー穴１ａの深さ（軸方向の長さ）がテーパー突起３の軸方向長さより若干大きくしてあるので、テーパー突起３の外周面とテーパー穴１ａの内周面との間に両面テープ２を強く圧するまで、テーパー突起３はテーパー穴１ａに深く挿入される。そして、テーパー穴１ａの開口を覆う部分の両面テープ２がテーパー突起３の外周面とテーパー穴１ａの内周面との間に強く圧縮されるまでテーパー突起３をテーパー穴１ａに深く挿入したときに、テーパー穴１ａの開口の外側の部分の両面テープ２が、ゴム脚取付け部５におけるゴム脚固着底面４に調度接着されるように、テーパー穴１ａの開口の半径は、テーパー突起３の根元（テーパー突起３におけるゴム脚固着底面４側の端）の半径より両面テープ２の厚み分程度だけ大きく設計してある。
【００２５】
以上に説明した実施の形態では、電話機１００が机上に置かれ、電話機１００の重量Ｗがゴム脚１に加わるとき、テーパー突起３の外周面とテーパー穴１ａの内周面との間の両面テープ２ａ及び２ｂはその重量Ｗによる圧力を常時受け続ける。また、その圧力は前述のテーパー角θ（＝ψ）の作用により、Ｗ／sinθとなり、重量Ｗより大きくなる。例えばθ＝7.5度のとき、１／sinθは、7.7となる。そこで、テーパー突起３の外周面とテーパー穴１ａの内周面との接着強度は非常に強くなり、ゴム脚１が電話機１００から剥がれ落ちることが防止される。また、テーパー突起３がテーパー穴１ａに嵌合されているので、ゴム脚１が電話機１００に対し横ずれを起こすこともない。
【００２６】
以上、理解を容易にするために、実施の形態を挙げ、本発明を具体的に説明したが、本発明がこの実施の形態に限定されないことは勿論である。例えば、上述の実施例では、機器は電話機であるとして説明したが、本発明は電話機に限らず、デスクトップ型パーソナルコンピュータにおけるキーボード、ノート型パーソナルコンピュータ、携帯電話機の充電器など非常に多くの机上載置機器に適用できる。
【符号の説明】
【００２７】
１    ゴム脚
１ａ    ゴム脚１に設けられたテーパー穴
２    両面テープ
２ｘ，２ｙ    両面テープ２に設けられた切込み
３    テーパー突起
４    ゴム脚固着底面
５，６，７，８ ゴム脚取付け部
５ａ    ゴム脚取付け部５内の円筒形凹部の内側壁
１００    電話機
１００ａ    電話機１００の筐体
１０１    電話機１００の傾き角度調整脚
【図１】
0005435652.tif 000002
【図２】
0005435652.tif 000003
【図３】
0005435652.tif 000004
【図４】
0005435652.tif 000005